(57)【要約】      （修正有）【課題】パトローネからのフイルム引出し長さが短めであっても、スプールの回転により確実にフイルム巻取りができるようにした写真カメラを提供する。【解決手段】裏蓋６の内面に、裏蓋６の内面に最も接近したスプール１１の母線よりも、装填室に寄った位置で、フイルム３の先端部をスプール１１の表面に押しつけるフイルム押圧レバー２０を設ける。このフイルム押圧レバー２０は、バネ２１の付勢によって、フイルム３の背面を押しつける。装填室にパトローネを装填して裏蓋６を閉じると、フイルム押圧レバー２０によって、フイルム３がスプール１１表面に押し付けられる。裏蓋６が閉じ位置にロックされたことに応答して、給送モータが駆動し、スプール１１が巻取り方向に回転することで、フイルム３がスプール１１に巻き取られていく。【選択図】図５
2005189417.tif 000002
【特許請求の範囲】
【請求項１】
装填室にパトローネを装填し、パトローネから引き出されているフイルムの先端部を巻取り室内のスプールの上に被せるようにしてから裏蓋を閉じ、裏蓋の閉じ操作に応答してスプールを巻取り方向に回転してフイルムの初期巻取りを行うようにした写真カメラにおいて、
前記裏蓋の内面に、裏蓋の内面に最も接近したスプールの母線よりも前記装填室に寄った位置で、フイルムの先端部をスプールの表面に向かって押しつけるフイルム押圧部材を設けたことを特徴とする写真カメラ。
【請求項２】
前記スプールに、その外周面から突出し、フイルムの側縁に沿って形成されたパーフォレーションに係合するキャッチ爪が設けられていることを特徴とする請求項１記載の写真カメラ。
【請求項３】
前記キャッチ爪がパーフォレーションに係合し、スプールの回転とともにフイルムの巻取りが行われたことを検知して変位する検知部材を備え、この検知部材の変位に連動して前記フイルム押圧部材がフイルムに接触する位置から退避するようにしたことを特徴とする請求項２記載の写真カメラ。
【発明の詳細な説明】
【技術分野】
【０００１】
本発明はフイルムの簡易装填が可能な写真カメラに関するものである。
【背景技術】
【０００２】
最近の写真カメラは、フイルムの装填時に、フイルムの先端をフイルム巻取り用のスプールに係止する操作をしなくても済むように工夫されている。このようなカメラでは、裏蓋を開いてパトローネを装填室に装填してから、パトローネから予め引き出されている先端部をフイルム巻取り室側に延ばし、フイルム巻取り室内のスプールの上に置くようにしてから裏蓋を閉じる操作を行えばよい。
【０００３】
裏蓋の閉じ操作に連動してスプールが巻取り方向に回転すると、スプールの外周に設けたキャッチ爪がフイルムのパーフォレーションに係合し、フイルムはスプールの回転とともにその外周に巻き付けられてゆく。パーフォレーションの通過個数がフォトセンサで計数され、最初の一コマ目がアパーチャーの背後に移動してきた時点でスプールの回転が停止してフイルムの初期送りが完了する。なお、フイルムの先端部をスプールに巻き付けやすくするために、スプールの外周面を摩擦力が大きいゴムシートで覆ったり、キャッチ爪を省略したものもある。
【０００４】
また、特許文献１，２で知られるように、フイルム巻取り室あるいは裏蓋の内面にローラや板バネなどを設け、裏蓋を閉じたときにフイルムの先端部をスプールの外周面に押しつけたり、またフイルムの先端部がスプールにほぼ一周分巻き付けられたときに、その先端がスプールから浮かないようにしてフイルムがスプールに確実に巻き付けられるように工夫されている。
【０００５】
【特許文献１】特開平８−２５４７４５号公報
【特許文献２】特開平９−２０３９６８号公報
【発明の開示】
【発明が解決しようとする課題】
【０００６】
ところで、パトローネから引き出されているフイルムの長さが適切であれば、図８に二点鎖線で示すように、裏蓋２を閉じると裏蓋２の内面に設けた板バネ２ａがフイルム３の先端部をスプール４に押しつけるようになるため、スプール４が回転するとスプール４との摩擦でフイルム３が引き込まれ、またスプール４の外周に突出したキャッチ爪４ａがパーフォレーションに係合してフイルム３を確実にスプール４に巻き付けてゆくことができる。
【０００７】
ところが、パトローネから予め引き出されているフイルム３の長さが短いと、裏蓋２を閉じてもフイルムの先端部がスプール４の中央４ｂ（裏蓋２の内面に最も接近した母線に相当）まで届かないことがある。このような場合には、パトローネからフイルム３を少し引き出してやればよいが、不慣れなユーザがそのままで裏蓋２を閉じてしまうと、フイルム３には内側にカールする習性もあるため、図８に示すようにフイルム３の先端３ａがスプール４の中央４ｂの手前側で外周に当接するだけになる。
【０００８】
このような状態でスプール４を回転しても、キャッチ爪４ａはパーフォレーションに係合せずにフイルム３の先端３ａの下を通過してしまい、フイルム巻取りができなくなることがあった。なお、スプール４の外周を摩擦力の大きいゴムシートで覆った場合でも、板バネ２ａでフイルム３の先端３ａを押さえられないときには巻取りを円滑に行いにくくなる。
【０００９】
本発明の目的は上記難点を解決し、パトローネからのフイルム引き出し長さが短めであっても、スプールの回転により確実にフイルム巻取りができるようにした写真カメラを提供することにある。
【課題を解決するための手段】
【００１０】
本発明の写真カメラは、裏蓋の内面に、裏蓋の内面に最も接近したスプールの母線よりも前記装填室に寄った位置で、フイルムの先端部をスプールの表面に押しつけるフイルム押圧部材を設けたことを特徴とする。また本発明においては、スプールに、その外周面から突出し、フイルムの側縁に沿って形成されたパーフォレーションに係合するキャッチ爪を設けることが効果的であり、さらにキャッチ爪がパーフォレーションに係合してスプールの回転とともにフイルムの巻取りが行われたときには、これを検知して変位する検知部材を設け、この検知部材の変位に連動してフイルム押圧部材がフイルムに接触する位置から退避させる構成を採ることも有効である。
【発明の効果】
【００１１】
本発明の写真カメラによれば、パトローネからのフイルム引き出し長さが短めであっても、裏蓋を閉じてスプールの回転を開始させれば、フイルムを確実に巻き取ってゆくことができるようになる。そして、スプールの外周にキャッチ爪を突出させておけば、キャッチ爪とパーフォレーションとの係合が確実に行われ、信頼性の高いフイルム簡易装填作用が得られる。さらに、キャッチ爪がパーフォレーションに係合してフイルム巻取りが確実に行われることを検知部材の変位により検知し、これに連動してフイルム押圧部材をフイルムから退避させれば、巻取り負荷の低減やフイルムに傷が入ることを防ぐ効果も得られる。
【発明を実施するための最良の形態】
【００１２】
本発明の写真カメラを示す図１及び図２において、カメラボディ５の背面に裏蓋６が開閉自在に軸着されている。図２に示すように、裏蓋６を開放すると装填室７，アパーチャー８，巻取り室９が現れる。フイルム装填時には，装填室７にパトローネ１０が装填されるが、二点鎖線で示すようにパトローネ１０からは予めフイルム３のリーダー部が出ているので、これを巻取り室９側に延ばしてスプール１１の上に被せるようにしてから裏蓋６を閉じればよい。
【００１３】
図１に示すように裏蓋６の内面にはフイルム圧板１２が圧板バネを介して取り付けられ、このフイルム圧板１２には板バネ１３が取り付けられている。裏蓋６を閉じると板バネ１３の先端がフイルム３の先端部をスプール１１に押しつける。裏蓋６が閉じ位置にロックされたことに応答して給送モータが駆動し、スプール１１が巻取り方向に回転すると、スプール１１の外周に設けたキャッチ爪１５がフイルム３のパーフォレーション３ｂを捕捉し、以後、フイルム３はスプール１１の回転とともにスプール１１に巻き取られるようになる。
【００１４】
フイルム給送路に面して反射型のフォトセンサ１６が設けられており、このフォトセンサ１６でパーフォレーション３ｂの通過が一個ずつ検知される。その検知個数が一定個数に達した時点で給送モータの回転が停止する。これにより、アパーチャー８の背後にフイルム３の一コマ目がセットされ、初期送りが完了して撮影待機状態となる。
【００１５】
さらに本発明の写真カメラでは、裏蓋６を閉じたときに、図８のようにフイルム３の先端３ａがスプール１１の中心よりも装填室７に寄った位置でスプール１１の表面に当接しただけであっても、円滑にフイルム巻取りを行うことができるように、裏蓋６の内面にフイルム押圧レバー２０（図１参照）が設けられている。このフイルム押圧レバー２０は、裏蓋６の内面に最も接近したスプール１１の母線よりも装填室７に寄った位置で、フイルム３の先端部をスプール１１の表面に押しつけるフイルム押圧部材として作用する。
【００１６】
図３に示すように、フイルム押圧レバー２０は裏蓋６の内面に回動自在に軸着され、その先端側がフイルム３の背面に押しつけられるようにバネ２１によって図中反時計方向に付勢されている。フイルム押圧レバー２０の先端側は二股に分かれ、図中上方が受動片２０ａ、下方が押圧片２０ｂとなっている。押圧片２０ｂの前面はフイルム３の給送方向に沿って湾曲した凸面となっており、フイルム３の背面に接触させたままフイルム給送を行った場合でもできるだけフイルム３に擦り傷が入らないようにしてある。
【００１７】
カメラボディ５の基部５ａは、前述した装填室７，アパーチャー８，巻取り室９が一体に成形されたプラスチックの射出成形品で構成されている。巻取り室９の上壁の上面にはフイルム検知レバー２４が軸着され、バネ２５により先端側が下向きに揺動するように付勢されている。フイルム検知レバー２４の先端側は基部５ａの開口２６を通して背面側に部分的に突出している。
【００１８】
図４に拡大して示すように、フイルム検知レバー２４の先端側にはフイルム検知面２４ａと、押動片２４ｂと、ストッパ片２４ｃとが設けられている。フイルム検知面２４ａは、図示のように背面側に向かって低くなるように傾斜した斜面となっている。そして、フイルム面が背面方向に動いたときには、フイルム３の上側エッジからの押圧力がフイルム検知面２４ａに加わることによって、フイルム検知レバー２４は、バネ２５の付勢に抗してその先端が上方に向かうように揺動する。
【００１９】
押動片２４ｂは、フイルム押圧レバー２０の受動片２０ａに係合し、フイルム検知レバー２４がバネ２５の付勢に抗して揺動したとき、フイルム押圧レバー２０をバネ２１の付勢に抗して回動させる。ストッパ片２４ｃは、裏蓋６を閉じたときにフイルム押圧レバー２０の受動片２０ａの先端を受け止めてフイルム押圧レバー２０の揺動を制限し、フイルム３がスプール１１と押圧片２０ｂとの間に存在しないときに、押圧片２０ｂがスプール１１の表面に直接接触することを阻止する。
【００２０】
上述のフイルム押圧レバー２０及びフイルム検知レバー２４は以下の作用を行う。装填室７にパトローネ本体を装填し、パトローネ１０から予め引き出されているフイルム３を巻取り室９側に展延して裏蓋６を閉じてゆくとき、フイルム３の引き出し長さが不十分であると、板バネ１３でフイルム先端部をスプール１１の表面に押さえることができず、図８と同様、まずフイルム３の先端だけがスプール１１の表面に当接するが、さらに裏蓋６を閉じてゆく過程で、裏蓋６に設けられたフイルム押圧レバー２０の押圧片２０ｂがフイルム３をその背面側から押圧し、裏蓋６の内面に最も接近したスプール１１の母線よりも装填室７に寄った位置でフイルム３をスプール１１に向かって押し付ける。押圧片２０ｂは、フイルム３のパーフォレーション３ｂよりも下の部分を押圧している。
【００２１】
これにより、図５（Ａ）に示すように、フイルム３の先端がスプール１１の表面からわずかに浮くことがあっても、フイルム先端側が部分的にスプール１１に向かって凸形状に湾曲し、押圧部分よりも先端側ではその一部がスプール１１の表面に接触するようになるから、スプール１１が巻取り方向（時計方向）に回転したときには、キャッチ爪１５が確実にパーフォレーション３ｂに係合するようになる。
【００２２】
裏蓋６を閉じ位置にロックした状態では、図５（Ｂ）に示すように、フイルム押圧レバー２０の受動片２０ａの先端がフイルム検知レバー２４のストッパ片２４ｃに当接してフイルム押圧方向への揺動が阻止され、フイルム３がスプール１１と押圧片２０ｂとの間に強く挟持されることはない。ストッパ片２４ｃは、フイルムがない状態で押圧片２０ｂとスプール１１とが直接的に接触することを阻止するためのものであるが、上記のように、フイルムが装填された状態でフイルム押圧レバー２０を初期位置に位置決めする手段として用いてもよい。
【００２３】
スプール１１が巻取り方向に回転して、キャッチ爪１５にパーフォレーション３ｂが係合したあとに、スプール１１が更に巻取り方向に回転すると、図６（Ａ）に示すように、フイルム３の先端が板バネ１３の先端によってスプール１１に押しつけられる。また、フイルム３が引っ張られ、フイルム面が背面方向に動くことで、フイルム検知面２４ａにフイルム３の上側エッジから押圧力が加わり、フイルム検知レバー２４がバネ２５の付勢に抗してその先端が上方に向かうように揺動する。この揺動で、図６（Ｂ）に示すように押動片２４ｂと受動片２０ａとが係合し、フイルム押圧レバー２０をバネ２１の付勢に抗して回動させ、フイルム３をスプール１１表面に押し付ける位置からフイルム押圧レバー２０を退避させる。
【００２４】
スプール１１は、更に回転を続け、フイルム３を外周に巻きつけていく。フォトセンサ１６がフイルム給送路を通過するフイルム３のパーフォレーション３ｂを一定個数検知すると、給送モータの回転とともにスプール１１の回転を停止し、アパーチャー８の背後にフイルム３の一コマ目がセットされる。これにより、フイルム３の初期送りが完了し、レリーズボタンを押圧することで撮影が行える。
【００２５】
撮影が一コマ終了するたびに、給送モータの回転とともにスプール１１を回転させ、アパーチャー８の背後に次のコマをセットする。アパーチャー８の背後に次のコマがセットされると、給送モータの回転とともにスプール１１の回転を停止する。フイルム３の最終コマへの撮影が完了すると、給送モータが巻取り方向とは逆方向に回転し、装填室７の下部に組み込まれたパトフォークを回転させ、フイルム３をパトローネ１０内に収納していく。
【００２６】
フイルム３がパトローネ１０内に収納されるときに、フイルム３の先端がフイルム検知面２４ａを通過すると、フイルム検知面２４ａ加えられていたフイルム３の上側エッジからの押圧力が解除され、押動片２４ｂと受動片２０ａの先端との係合が解除され，受動片２０ａの先端をストッパ片２４ｃが受け止める。受動片２０ａの先端をストッパ片２４ｃが受け止めることで、フイルム押圧レバー２０の揺動が制限され、押圧片２０ｂがスプール１１に接触するのを阻止している。フイルム３の先端がパトローネ１０内に収納されると、給送モータの回転とともに、スプール１１の回転が停止する。
【００２７】
上記実施例では、押圧部材がフイルムをスプールの表面に向かって押しつけてるとき、フイルム３をスプール１１の表面に押し付けていたが、スプールが回転したときに、パーフォレーションがスプール爪に係合可能であれば、フイルムとスプールの表面と間に隙間があってもよい。
【００２８】
上記実施例では、フイルム３をスプール１１に押し付けるフイルム押圧部材は、フイルム押圧レバー２０であったが、図７に示すようにフイルム押さえバネ２８等を用いることもできる。フイルム押さえバネ２８は、フイルム押さえバネ２８の付勢で、フイルム３をスプール１１に押し付け、フイルム３がスプール１１に巻き取られるにつれて、フイルム押さえバネ２８の付勢に抗して、裏蓋６側に待避していく。常に、フイルム押さえバネ２８がフイルムの背面に接触しているため、摩擦が生じる点では不利であるが、一つの部材で本発明を実施できるのでコストの点では有利である。
【図面の簡単な説明】
【００２９】
【図１】本発明の写真カメラの外観斜視図である。
【図２】本発明の写真カメラの背面図である。
【図３】フイルム検知レバー及びフイルム押圧レバーの取り付け位置を示す斜視図である。
【図４】フイルム検知レバー及びフイルム押圧レバーを示す斜視図である。
【図５】フイルム検知レバー及びフイルム押圧レバーの動きを示す説明図である。
【図６】フイルム検知レバー及びフイルム押圧レバーの動きを示す説明図である。
【図７】本発明の別の実施形態を示す図である。
【図８】従来の写真カメラの内部断面図である。
【符号の説明】
【００３０】
３  フイルム
６  裏蓋
１１  スプール
２０  フイルム押圧レバー
２０ａ  受動片
２０ｂ  押圧片
２１  バネ
２４  フイルム検知レバー
２４ａ  フイルム検知面
２４ｂ  押動片
２４ｃ  ストッパ片
２５  バネ
【図１】
2005189417.tif 000003
【図２】
2005189417.tif 000004
【図３】
2005189417.tif 000005
【図４】
2005189417.tif 000006
【図５】
2005189417.tif 000007
【図６】
2005189417.tif 000008
【図７】
2005189417.tif 000009
【図８】
2005189417.tif 000010